【手続補正書】
【提出日】平成29年10月3日(2017.10.3)
【手続補正１】
【補正対象書類名】特許請求の範囲
【補正対象項目名】全文
【補正方法】変更
【補正の内容】
【特許請求の範囲】
【請求項１】
ＲＲＨ（Ｒｅｍｏｔｅ  Ｒａｄｉｏ  Ｈｅａｄ）とＢＢＵ（Ｂａｓｅ  Ｂａｎｄ  Ｕｎｉｔ）とが分離されるクラウド無線アクセスネットワーク（Ｃ−ＲＡＮ）環境でＢＢＵがＲＲＨを介して下りリンク送信電力を設定する方法であって、
ＲＲＨのシステム容量（ｃａｐａｃｉｔｙ）を管理するエンティティから取得した電力ヘッドルーム（ｐｏｗｅｒ  ｈｅａｄｒｏｏｍ）情報に基づいて、前記ＢＢＵが端末に下りリンク信号を送信するために前記ＲＲＨに要求する要求電力を決定することと、
前記ＲＲＨに接続している一つ以上の他のＢＢＵが前記ＲＲＨに割り当てられた送信電力を前記要求電力に応じて変更するように要求する電力割り当て変更要求メッセージを、前記一つ以上の他のＢＢＵに送信することと
を含む、方法。
【請求項２】
前記一つ以上の他のＢＢＵから、前記電力割り当て変更要求メッセージに対する電力割り当て変更応答メッセージを受信することと、
前記電力割り当て変更応答メッセージに基づいて、前記決定された要求電力を調節することと
をさらに含む、請求項１に記載の方法。
【請求項３】
前記調節された要求電力によって電力を新しく指定する電力割り当て変更命令メッセージを前記一つ以上の他のＢＢＵに送信することをさらに含む、請求項２に記載の方法。
【請求項４】
前記エンティティにＲＲＨ情報要求メッセージを送信するステップと、
前記エンティティから、前記電力ヘッドルーム情報を含むＲＲＨ情報応答メッセージを受信することと
をさらに含む、請求項１に記載の方法。
【請求項５】
前記送信することは、前記電力割り当て変更要求メッセージを送信すると共に予め定められた時間区間のタイマーを設定することを含み、
前記方法は、前記タイマーが満了するまで前記電力割り当て変更応答メッセージが受信されない場合、前記電力割り当て変更要求メッセージを再送信することをさらに含む、請求項１に記載の方法。
【請求項６】
ＲＲＨ（Ｒｅｍｏｔｅ  Ｒａｄｉｏ  Ｈｅａｄ）とＢＢＵ（Ｂａｓｅ  Ｂａｎｄ  Ｕｎｉｔ）とが分離されるクラウド無線アクセスネットワーク（Ｃ−ＲＡＮ）環境でＲＲＨを介して下りリンク送信電力を設定するＢＢＵであって、
送信部と、
受信部と、
前記送信部及び前記受信部と接続し、下りリンク送信電力を設定するように構成されたプロセッサと、
を備え、
前記プロセッサは、
ＲＲＨのシステム容量（ｃａｐａｃｉｔｙ）を管理するエンティティから取得した電力ヘッドルーム（ｐｏｗｅｒ  ｈｅａｄｒｏｏｍ）情報に基づいて、前記ＢＢＵが端末に下りリンク信号を送信するために前記ＲＲＨに要求する要求電力を決定し、
前記ＲＲＨに接続している一つ以上の他のＢＢＵが前記ＲＲＨに割り当てられた送信電力を前記要求電力に応じて変更するように要求する電力割り当て変更要求メッセージを、前記一つ以上の他のＢＢＵに送信するように前記送信部を制御する、ＢＢＵ。
【手続補正２】
【補正対象書類名】明細書
【補正対象項目名】０００９
【補正方法】変更
【補正の内容】
【０００９】
上述した技術的課題を解決するために、以下、ＢＢＵがＲＲＨの送信電力を調節する方法を提供する。具体的に、クラウドＲＡＮ環境におけるＢＢＵがＲＲＨの電力情報を考慮して端末への下りリンク送信電力を調節する方法を提供する。
本発明は、例えば、以下を提供する。
（項目１）
ＲＲＨ（Ｒｅｍｏｔｅ  Ｒａｄｉｏ  Ｈｅａｄ）とＢＢＵ（Ｂａｓｅ  Ｂａｎｄ  Ｕｎｉｔ）とが分離されるクラウドＲＡＮ（Ｃｌｏｕｄ  ＲＡＮ：Ｃ−ＲＡＮ）環境でＢＢＵがＲＲＨを介して下りリンク送信電力を設定する方法であって、
ＲＲＨのシステム容量（ｃａｐａｃｉｔｙ）を管理するエンティティから取得したＲＲＨ電力ヘッドルーム（ｐｏｗｅｒ  ｈｅａｄｒｏｏｍ）情報に基づいて、前記ＢＢＵが端末に下りリンク信号を送信するために前記ＲＲＨに要求する要求電力を決定するステップと、
前記ＲＲＨに接続している一つ以上の他のＢＢＵが前記ＲＲＨに割り当てた送信電力を前記要求電力に応じて変更するように要求する電力割り当て変更要求メッセージを、前記一つ以上の他のＢＢＵに送信するステップと、
を有する、電力設定方法。
（項目２）
前記一つ以上の他のＢＢＵから、前記電力割り当て変更要求メッセージに対する電力割り当て変更応答メッセージを受信するステップと、
前記電力割り当て変更応答メッセージに基づいて、前記決定された要求電力を調節するステップと、をさらに有する、項目１に記載の電力設定方法。
（項目３）
前記電力割り当て変更応答メッセージは、前記一つ以上の他のＢＢＵが電力を調節するか否かに関する情報、調節された電力値に関する情報、電力調節が不可能な場合に不可能な理由に関する情報のうち少なくとも一つを含む、項目２に記載の電力設定方法。
（項目４）
前記調節された要求電力によって前記一つ以上の他のＢＢＵの電力を新しく指定する電力割り当て変更命令メッセージを前記一つ以上の他のＢＢＵに送信するステップをさらに有する、項目２に記載の電力設定方法。
（項目５）
前記設定するステップは、前記電力割り当て変更命令メッセージに応答して電力調節が完了したことを示す電力割り当て変更命令応答メッセージが前記一つ以上の他のＢＢＵの全てから受信されると、前記下りリンク送信電力を設定することを含む、項目４に記載の電力設定方法。
（項目６）
前記エンティティにＲＲＨ情報要求メッセージを送信するステップと、
前記エンティティから、前記ＲＲＨ電力ヘッドルーム情報を含むＲＲＨ情報応答メッセージを受信するステップと、をさらに有する、項目１に記載の電力設定方法。
（項目７）
前記送信するステップは、前記電力割り当て変更要求メッセージを送信すると共に予め定められた時間区間のタイマーを設定することを含み、
前記タイマーが満了するまで前記電力割り当て変更応答メッセージが受信されない場合、前記電力設定方法は、前記電力割り当て変更要求メッセージを再送信するステップをさらに有する、項目１に記載の電力設定方法。
（項目８）
前記電力割り当て変更要求メッセージ及び前記電力割り当て変更応答メッセージは、前記一つ以上の他のＢＢＵとのＸ２インターフェース（Ｘ２  ｉｎｔｅｒｆａｃｅ）を介して送受信される、項目１に記載の電力設定方法。
（項目９）
ＲＲＨ（Ｒｅｍｏｔｅ  Ｒａｄｉｏ  Ｈｅａｄ）とＢＢＵ（Ｂａｓｅ  Ｂａｎｄ  Ｕｎｉｔ）とが分離されるクラウドＲＡＮ（Ｃｌｏｕｄ  ＲＡＮ；Ｃ−ＲＡＮ）環境でＲＲＨを介して下りリンク送信電力を設定するＢＢＵであって、
送信部と、
受信部と、
前記送信部及び前記受信部と接続して下りリンク送信電力を設定するように構成されたプロセッサと、
を備え、
前記プロセッサは、
ＲＲＨのシステム容量（ｃａｐａｃｉｔｙ）を管理するエンティティから取得したＲＲＨ電力ヘッドルーム（ｐｏｗｅｒ  ｈｅａｄｒｏｏｍ）情報に基づいて、前記ＢＢＵが端末に下りリンク信号を送信するために前記ＲＲＨに要求する要求電力を決定し、
前記ＲＲＨに接続している一つ以上の他のＢＢＵが前記ＲＲＨに割り当てた送信電力を前記要求電力に応じて変更するように要求する電力割り当て変更要求メッセージを、前記一つ以上の他のＢＢＵに送信するように前記送信部を制御する、ＢＢＵ。
（項目１０）
前記プロセッサは、
前記一つ以上の他のＢＢＵから、前記電力割り当て変更要求メッセージに対する電力割り当て変更応答メッセージを受信するように前記受信部を制御し、
前記電力割り当て変更応答メッセージに基づいて前記決定された要求電力を調節する、項目９に記載のＢＢＵ。
（項目１１）
前記電力割り当て変更応答メッセージは、前記一つ以上の他のＢＢＵが電力を調節するか否かに関する情報、調節された電力値に関する情報、電力調節が不可能な場合に不可能な理由に関する情報のうち少なくとも一つを含む、項目１０に記載のＢＢＵ。
（項目１２）
前記プロセッサは、
前記調節された要求電力によって前記一つ以上の他のＢＢＵの電力を新しく指定する電力割り当て変更命令メッセージを前記一つ以上の他のＢＢＵに送信するように前記送信部を制御する、項目１０に記載のＢＢＵ。
（項目１３）
前記プロセッサは、
前記電力割り当て変更命令メッセージに応答して電力調節が完了したことを示す電力割り当て変更命令応答メッセージが前記一つ以上の他のＢＢＵの全てから受信されると、前記下りリンク送信電力を設定する、項目１２に記載のＢＢＵ。
（項目１４）
前記プロセッサは、
前記エンティティにＲＲＨ情報要求メッセージを送信し、前記エンティティから、前記ＲＲＨ電力ヘッドルーム情報を含むＲＲＨ情報応答メッセージを受信するように前記送受信モジュールを制御する、項目９に記載のＢＢＵ。
（項目１５）
前記プロセッサは、
前記電力割り当て変更要求メッセージを送信すると共に予め定められた時間区間のタイマーを設定し、前記タイマーが満了するまで前記電力割り当て変更応答メッセージが受信されない場合、前記電力割り当て変更要求メッセージを再送信するように前記送受信モジュールを制御する、項目９に記載のＢＢＵ。
（項目１６）
前記電力割り当て変更要求メッセージ及び前記電力割り当て変更応答メッセージは、前記一つ以上の他のＢＢＵとのＸ２インターフェース（Ｘ２  ｉｎｔｅｒｆａｃｅ）を介して送受信される、項目９に記載のＢＢＵ。